(57)【要約】      （修正有）【課題】災害時に簡易に組立、移動、解体を行う事が可能な組立式居住スペースを提供する。【解決手段】６つの平坦面１１１及び２つの開口部１１２、１１３を有し、断面が正六角形状の筒状部材１１と、正六角形の開口部に嵌め入れられる、蓋部材を備え、筒状部材内に、床面を底上げする保持部材１３１と平坦部を有する床部材１３２で構成された床下部材１３が形成されている。筒状部材は、折れ曲がったシート状部材からなる。【選択図】図５
0003205564.tif 000002
【実用新案登録請求の範囲】
【請求項１】
６つの平坦面及び２つの開口部を有し、断面が六角形状の筒状部材を備え、前記筒状部材は、折れ曲がったシート状部材からなり、前記筒状部材はそれぞれ前期シート状部材の折り曲げられた２つの端部が重ね合わせられることによって形成された折り返し部が設けられており、前記折り返し部は、少なくとも一つが前記筒状部材内側の載置面側に載置面と直交するよう構成され、前記筒状部材の２つの前記開口部には、前記六角形と同じ形状の部分を有する蓋部材が設けられており、前記筒状部材の内部には、床面を底上げする保持部材と平坦部を有する床部材で構成された床下部材を備えていることを特徴とする災害時に簡易に設置できる組立式居住スペース。
【請求項２】
前記筒状部材が１枚のシート状部材からなる請求項１に記載の組立式居住スペース。
【請求項３】
前記六角形は、正六角形である請求項１又は２記載の組立式居住スペース。
【考案の詳細な説明】
【技術分野】
【０００１】  本考案は、シート状部材を使用した災害時に簡易に組立設置できる組立式居住スペースに関する。
【背景技術】
【０００２】  従来より、複数の人々が、一時的に１つの場所で生活する必要がある場合（例えば、地震などの災害時において、複数の避難者が、学校の体育館などの避難所で生活する必要がある場合）、段ボール製の間仕切りや組立式家屋、組立式カプセルルーム等が使用されていた。【０００３】  このような間仕切りや組立式家屋としては、特許文献１に記載された間仕切りや特許文献２に記載された組立式家屋などが知られている。特許文献２に記載の組立式家屋は、気泡ボードやプラスチック段ボール等を使用して組み立てられたものである。非特許文献１の組立式カプセルルームは、アルミフレームからなる骨格を使用して組み立てられたものである。
【先行技術文献】
【特許文献】
【０００４】
【特許文献１】特開２００６−１６１３１０号公報
【特許文献２】特開２０１３−７２３４号公報
【非特許文献】
【０００５】
【非特許文献１】大阪府ビジネスマッチングブログ、［平成２２年１月１５日］、インターネット＜ｈｔｔｐ：／／ｂｍｂ．ｏｉｄｃ．ｊｐ／ａｒｔｉｃｌｅ．ｐｈｐ／２０１００１１５１７５４２２７９＞
【考案の概要】
【考案が解決しようとする課題】
【０００６】  避難所などで複数の人々が、一時的に１つの場所で長期間生活する場合、間仕切りなどでは、冷えや振動を十分に防ぐことができず、各人のプライバシーも十分に保護されないため、被災者の心理的、身体的負担が大きな問題となっていた。プライバシー確保や冷え、振動の軽減など、被災者の負担軽減を目的とした金属フレームなどを利用した組立式家屋などは、重く移動が困難で、組立の複雑さ、備蓄場所の確保、使用後の廃棄などの問題があった。【０００７】  また、避難所では、利用できるスペースが限られている。そのため、複数の組立式家屋などが配置される場合、それぞれの組立式家屋などは、１部屋あたりの専有面積が抑制されるように配置することが可能な構造である事が求められていた。【０００８】  本考案は、災害時に組立及び解体を簡易に行う事が可能な組立式居住スペースを提供することを目的とする。また、本考案は、災害時に組立及び解体を簡易に行う事が可能であり、かつ、一部屋あたりの専有面積を抑制する事が可能な組立式居住スペース集合体を提供することを目的とする。
【課題を解決するための手段】
【０００９】  ６つの平坦面及び２つの開口部を有し、断面が六角形状の筒状部材を備え、前記筒状部材は、折れ曲がったシート状部材からなり、前記筒状部材はそれぞれ前期シート状部材の折り曲げられた２つの端部が重ね合わせられることによって形成された折り返し部が設けられており、前記折り返し部は、少なくとも一つが前記筒状部材内側の載置面側に載置面と直交するよう構成され、前記筒状部材の２つの前記開口部には、前記六角形と同じ形状の部分を有する蓋部材が設けられており、前記筒状部材の内部には、床面を底上げする保持部材と平坦部を有する床部材で構成された床下部材を備えていることを特徴とする災害時に簡易に設置できる組立式居住スペースに関する。【００１０】  また、前記筒状部材は、一枚のシート状部材で構成されることが好ましい。【００１１】  また、前記筒状部材の前記六角形は、正六角形であることが好ましい。【００１２】  本考案は、６つの平坦面及び２つの開口部を有し、断面が六角形状の筒状部材を備え、前記筒状部材は、折れ曲がったシート状部材からなり、前記筒状部材はそれぞれ前記シート状部材の折り曲げられた２つの端部が重ね合わせられることによって形成された折り返し部が設けられており、前記折り返し部は、前記筒状部材内側の載置面側に載置面と直交するように形成され、前記筒状部材の両方の前記開口部に前記六角形と同じ形状の部分を有する蓋部材が設けられており、前記筒状部材の内部には、床面を底上げする保持部材と平坦部を有する床部材で構成された床下部材を備える第１組立式居住スペース、第２組立式居住スペース及び第３組立式居住スペースと、を備え、第１組立式居住スペース、第２組立式居住スペース及び第３組立式居住スペースは、互いに同じ形状及び大きさであり、前記第１組立式居住スペース、前記第２組立式居住スペース及び前記第３組立式居住スペースが互いに１つの平坦面同士が隙間なく接した状態で固定されることにより、前記第１組立式居住スペース、前記第２組立式居住スペース及び前記第３組立式居住スペースは、ハニカム状に配置されている災害時に簡易に組立設置できる組立式居住スペース集合体に関する。
【考案の効果】
【００１３】  本考案によれば、災害時に組立及び解体、設置を簡易に行う事が可能な組立式居住スペースを提供する事ができる。また、本考案は、組立及び解体を簡易に行う事が可能であり、かつ、一部屋あたりの専有面積を抑制する事が可能な組立式居住スペース集合体を提供する事ができる。
【図面の簡単な説明】
【図１】（Ａ）は、本考案の第１実施形態による組立式居住スペース１を前方から見た斜視図である。（Ｂ）は、本考案の第１実施形態による組立式居住スペース１を後方から見た斜視図である。
【図２】（Ａ）〜（Ｂ）は、本考案の第１実施形態による組立式居住スペース１の筒状部材１１を示す図である。
【図３】（Ａ）〜（Ｃ）、本考案の第１実施形態による組立式居住スペース１の蓋部材１２を示す図である。
【図４】（Ａ）〜（Ｂ）は、本考案の第１実施形態による組立式居住スペース１の床下部材１３を示す図である。
【図５】（Ａ）〜（Ｂ）は、本考案の第１実施形態による組立式居住スペース１の組立て方を説明する図である。
【図６】（Ａ）〜（Ｃ）は、本考案の第２実施形態による組立式居住スペース集合体２を示す図である。
【考案を実施するための形態】
【００１４】  ［第１実施形態］
以下、本考案の第１実施形態について、図１〜図５を参照しながら説明する。
図１（Ａ）は、本考案の第１実施形態による組立式居住スペース１を前方から見た斜視図である。図１（Ｂ）は、本考案の第１実施形態による組立式居住スペース１を後方から見た斜視図である。図５は、本考案の第１実施形態による組立式居住スペース１の組立て方を説明する図である。
【００１５】  図１及び図２に示すように、組立式居住スペース１は、筒状部材１１と、蓋部材１２と床下部材１３と４つの台座部１４（一部のものは、不図示）と、を備えている。組立式居住スペース１は、平坦な載置面（不図示）に載置されている。
【００１６】  筒状部材１１は、図１及び図２に示すように、６つの平坦面１１１と、２つの開口部としての前方開口部１１２と、後方開口部１１３と、折り返し部１１４と、を有している。筒状部材１１は、６つの辺となる辺１１５に設けられた罫線で折れ曲がった１枚のシート状部材としての段ボールシートからなる。筒状部材１１における任意の断面の形状は、正六角形である。正六角形は、図１示すように６つの頂点（頂点Ａ、頂点Ｂ、頂点Ｃ，頂点Ｄ，頂点Ｅ及び頂点Ｆ）を有する。
【００１７】  ６つの平坦面１１１は、筒状部材１１の側面となっている。前方開口部１１２は、組立式居住スペースの出入り口側となる部分である。前方開口部１１２には図１Ａに示すように、出入り口となる扉用開口部１２２Ａを備えた前方蓋部材１２１Ａが嵌め込まれている。なお、図１Ｂや蓋部材１２については、後段で詳述する。
【００１８】  折り返し部１１４は、図２Ｂに示すように、筒状部材１１の内側の載置面（不図示）側となる筒状部材１１の下部（頂点Ｄの部分）に設けられている。折り返し部１１４は、段ボールシートの折り曲げられた２つの端部が重ね合せられることによって形成された部分である。折り返し部１１４は、少なくとも一つが筒状部材１１の内側の載置面側に載置面（不図示）と直交するように形成される。折り返し部１１４は、接着剤や折り返し部固定用クリップなどの固定具によって固定されている。このように、折り返し部１１４が固定されることにより、段ボールシートは、六角形の筒状に維持され、筒状部材１１となる。
【００１９】  筒状部材１１における任意の断面の正六角形の対向する２つの頂点間（例えば、頂点Ａと頂点Ｄの間）の距離は、例えば約１．４ｍになるように設計されている。また、前方開口部１１２から後方開口部１１３までの長さ（辺１１５の長さ）は、例えば約２ｍになるように設計されている。そのため、一人の人（不図示）が、前方開口部１１２に嵌め込まれた前方蓋部材１２１Ａの扉用開口部１２２Ａから筒状部材１１の中に容易に出入りする事ができる。また、一人の人（不図示）が、筒状部材１１の中において、容易に座ったり、横たわることが可能でストレスなく活動する事ができる。
【００２０】  図３Ａ、Ｂに示すように、筒状部材１１の前方開口部１１２と後方開口部１１３には、それぞれ対応する蓋部材１２が嵌め込まれている。蓋部材１２は、正六角形の形状を有し、切り欠き部１２４と、出入口となる扉用開口部１２２Ａを備えた、前方蓋部材１２１Ａと、正六角形の形状を有し、切り欠き部１２４と、窓用開口部１２２Ｂを備えた、後方蓋部材１２１Ｂが使用される。蓋部材１２は筒状部材１１と同様に、段ボールシート（シート状部材）を使用して構成されている。図３Ｃに示すように、蓋部材１２は段ボールシートを積層したもので形成されている。蓋部材１２の正六角形の大きさは筒状部材１１の断面の正六角形の大きさと同じ（又は、ほぼ同じ）である。蓋部材１２は、筒状部材１１の開口部に嵌め込まれることで筒状部材１１の形状を正六角形に維持し、筒状部材１１の強度を高める事ができる。蓋部材１２にはコの字状に切り取られた開閉可能なフラップ１２３Ｂを備えた通気用の通気孔開口部１２３Ａが設けられている。蓋部材１２の切り欠き部１２４は、筒状部材１１の折り返し部１１４が嵌め合い可能な大きさ、位置に形成されている。
【００２１】  図４Ａ、Ｂに示すように、床下部材１３は、保持部材１３１と平坦面を有する床部材１３２からなる。床下部材１３は、筒状部材１１の内部において、人が横たわったり、座ったりするための床部分を形成する部材である。床下部材１３は、筒状部材１１内部の載置面（不図示）側に保持部材１３１を筒状部材１１の折り返し部１１４に嵌め入れ、その上に、人が横たわったり、座ったりするために必要な強度を備えた素材、例えば複数の段ボールシートを積層したシート材、プラスチックダンボール、樹脂製の板、ベニヤ板、金属製の板等を用いて製造された平坦部を有する床部材１３２を載置することで形成されている。
【００２２】  保持部材１３１は、図４Ａに示すように１枚のシート状部材をコの字状に折り畳んで形成され、筒状部材１１の折り返し部１１４に嵌め合い可能な大きさ、形状を持った切り欠き部１３３が形成されている。保持部材１３１は、筒状部材１１内の載置面（不図示）側の平坦面１１１の形状と長さ（例えば頂点Ｃと頂点Ｄ間の長さ）と同じ（又は、ほぼ同じ）接地辺１３４が形成される。保持部材１３１には、通気用の通気孔１３５が設けられている。筒状部材１１の折り返し部１１４に保持部材１３１の切り欠き部１３３を嵌め合いし、取り付けることで図４Ｂに示す床材１３２を支えるための骨組みを形成する。
【００２３】  保持部材１３１は筒状部材１１内の載置面（不図示）側の平坦面１１１に設置辺１３４が整合するように嵌め入れられる。保持部材１３１は、平坦面が筒状部材１１が載置される平坦な載置面（不図示）に平行になるように、筒状部材１１内に配置される。保持部材１３１の高さは、床部材１３２が筒状部材１１の断面である正六角形の頂点Ｃと頂点Ｅとを結ぶ直線上にくるように形成される。床部材１３２は保持部材１３１上に載置される。
【００２４】  台座部１４は、図１に示すように、２つの底面が直角三角形の三角柱の部材である。この三角形の部材である台座部１４は、三角柱の直交する２つの側面のうちの一方の側面が、筒状部材１１の平坦部１１１の載置面（不図示）に接し、直交する他方の側面が、筒状部材１１の平坦部１１１の載置面（不図示）に直交し、傾斜する側面が筒状部材１１の１つの平坦面に接するように、配置されている。この台座部１４が使用されることにより、筒状部材１１は、平坦な載置面（不図示）に安定して載置される。
【００２５】  次に、図５を使用して、災害時に簡易に設置できる組立式居住スペース１の組立て方を説明する。図２Ａに示される組立前の筒状部材と図３に示される蓋部材１２、図４に示される床下部材１３が用意される。
【００２６】  組立前の筒状部材１１は、図２Ａに示すように、長方形の本体部を有している。長方形の本体部１１０には辺１１５となる部分に罫線が形成されている。長方形の本体部１１０は、下辺１１２Ａ及び上辺１１３Ａを有している。長方形の本体部１１０が組み立てられた筒状部材１１になった場合、下辺１１２Ａが筒状部材の前方開口部１１２となり、上辺１１３Ａが筒状部材１１の後方開口部１１３となる。組立前の筒状部材１１は、１枚の段ボールシートを型抜きした物である。
【００２７】  本体部１１０には、破線で示された罫線が７本設けられている。罫線は、下辺１１２Ａ及び上辺１１３Ａに直交するように、長方形の下辺１１２Ａから上辺１１３Ａにかけて設けられている。罫線は、筒状部材１１における辺１１５となる部分に形成されている。隣り合う２つの罫線の間の部分は、筒状部材１１の６つの平坦面１１１となる。６つの縦長の長方形の部分はすべて同じ大きさ、かつ同じ形状となっている。本体部におけるもっとも左側の罫線の左側の端部（以下、左側端部１１４Ａという。）と、本体部におけるもっとも右側の罫線の右側の端部（以下、右側端部１１４Ｂという。）は、筒状部材１１における折り返し部１１４になる部分である。段ボールシートに設けられた罫線は抜型等を利用して形成される。
【００２８】  図３Ａに示すように、前方蓋部材１２１Ａは、正六角形の形状を有し、切り欠き部１２４と、扉用開口部１２２Ａと通気孔１２３を備える。扉用開口部１２２Ａは人が出入りすることが可能な高さと幅を持つよう形成されている。通気孔１２３は、通気孔開口部１２３Ａと通気孔開口部１２３Ａと同様の大きさ、形状でコの字状に切り取られた開閉用フラップ１２３Ｂが設けられている。開閉用フラップ１２３Ｂには、開閉時に使用する取っ手となる切り欠き孔（不図示）が設けられている。
【００２９】  図３Ｂに示すように、後方蓋部材１２１Ｂは、正六角形の形状を有し、切り欠き部１２４と、窓用開口部１２２Ｂと通気孔１２３を備える。通気孔１２３は、通気孔開口部１２３Ａと通気孔開口部１２３Ａと同様の大きさ、形状でコの字状に切り取られた開閉用フラップ１２３Ｂが設けられている。開閉用フラップ１２３Ｂには取っ手となる切り欠き孔（不図示）が設けられている。
【００３０】  図３Ｃに示すように蓋部材１２は、複数の段ボールシートを接着剤や固定部材によって固定し、積層したもので形成されている。積層する際、段ボールシートの段目の向きが９０°異なるように交互に重ね合わされる（不図示）。蓋部材１２の厚みは、筒状部材１１の形状を維持、固定するのに十分な強度を持つように構成される。前方蓋部材１２１Ａと後方蓋部材１２１Ｂの厚さは同じであることが好ましい。
【００３１】  図５に示すように、前方蓋部材１２１Ａに設けられた切欠き部１２４を筒状部材１１の折り返し部１１４に嵌め合いし、筒状部材１１の前方開口部１１２に前方蓋部材１２１Ａを嵌め込む。嵌め込まれた前方蓋部材１２１Ａの外周は、筒状部材１１の前方開口部１１２の周辺の平坦部１１１の内側の一部に接することとなる。前方蓋部材１２１Ａにより筒状部材１１は、正六角形の形状を維持し強度を上げることができる。筒状部材１１の後方開口部１１３にも同様に後方蓋部材１２１Ｂが嵌め込まれる（不図示）。
【００３２】  また、図示は省略するが蓋部材１２の固定を目的として、筒状部材１１の前方開口部１１２と後方開口部１１３を覆うように段ボールなどのシート状部材で形成されたカバー部材（不図示）を取り付けても良い。カバー部材（不図示）を取り付けることで蓋部材１２が筒状部材１１から抜け落ちる事がなくなる。カバー部材には花柄などの印刷やステッカーを施すことで組立式居住スペースの外観が華やかになり、利用者の心理的負担を軽減することができる。
【００３３】  図５Ａに示すように筒状部材１１内部の載置面（不図示）側には、床部材１３が配置されている。床部材１３は平坦で、人が横たわったり、座ったりするために必要な強度を備えた素材、例えば複数の段ボールシートを積層したシート材、プラスチックダンボール、樹脂製の板、ベニヤ板、金属製の板等を用いて製造された床部材１３２とそれらを支持するための骨組みとなる保持部材１３１で構成されている。
【００３４】  保持部材１３１は図４Ａが示すように段ボールなどのシート状部材で形成され、コの字状に折り曲げて形成される。保持部材１３１の筒状部材１１の載置面（不図示）側に接する両端部には切り欠き部１３３が形成されている。保持部材１３１には、床下用通気孔１３５が形成されている。保持部材１３１の切り欠き部１３３を筒状部材１１の折り返し部１１４に嵌め入れて取り付けられることで筒状部材１１の折り返し部１１４の固定が強固となり、折り返し部１１４を床材１３２支える柱として利用することができる。これにより床部材１３２を平行かつ安定して支える事ができる骨組み構造が形成される。
【００３５】  図５Ａに示すように筒状部材１１内の載置面（不図示）側の平坦面１１１に整合するように保持部材１３１を嵌め入れる。この際、保持部材１３１に設けられた接地辺１３４が筒状部材１１内の頂点Ｃ，頂点Ｄ及び頂点Ｅ周辺の平坦部１１１の一部に接することとなる。これにより保持部材１３１は、筒状部材１１内で安定する。保持部材１３１の上に床部材１３２が載置される。床部材１３２には図４Ｂに示すように取っ手１３７が形成され、筒状部材１１内から出し入れする事が容易になるように設計されている。床部材１３２は、保持部材１３１の骨組み上に設置される。床部材１３２は、筒状部座１１の頂点Ｃと頂点Ｅを結んだ直線上になるよう配置される。これにより筒状部材１１内の空間を広くとる事ができ、安定し、平坦な床部材１３が形成される。
【００３６】  上述したように、組立式居住スペース１は、組み立て前の筒状部材１１を全て同じ方向に折るという作業と、蓋部材１２を筒状部材１１の２つの開口部に嵌め込む、床下部材１３を筒状部材１１内に設置する作業と蓋部材を固定するカバーを取り付けるという作業だけで組立てられる。また、台座部１４と床下部材１３により、人が活動するスペースが載置面（不図示）より離れた状態となるため、載置面（不図示）からくる振動や冷気の影響を軽減する事ができる。また、蓋部材１２に設けられた通気孔１２３を通気孔用フラップ１２３Ｂを利用して、開閉することで床下部材に設けられた通気孔１３５、取っ手１３７を通して筒状部材１１内の換気を行うことが可能で、季節に合わせた快適な環境を維持できる。
【００３７】  また、カバーを取り外し、蓋部材１２、床下部材１３を取り外すだけで、簡易に解体も行える。また、組立式居住スペース１は全て段ボールシートで構成されるため、簡単に持ち上げる事が可能な重量であり、容易に移動させることができる。
【００３８】  このように、組立式居住スペース１によれば、組立及び解体を簡易に行う事が可能な災害時に簡易に設置できる組立式居住スペースを実現できる。また、組立式居住スペース１は、全て段ボールシートで構成されている。そのため、組み立て前や解体後も容易に移動が可能である。解体後は、リサイクルに回す事も可能であり環境への負担が少ない。
【００３９】  ［第２実施形態］
次に、本考案の第２実施形態について、図６を参照しながら説明する。図６Ａ〜図６Ｃは、本考案の第２実施形態による組立式居住スペース集合体２を示す図である。第２実施形態については、主として第１実施形態と異なる点を中心に説明し、第１実施形態と同様な構成については、詳細な説明を省略する。特に説明しない点には、第１実施形態についての説明が適宜適用される。
【００４０】  図６Ａに示すように、組立式居住スペース集合体２は、第１組立式居住スペース１Ａ、第２組立式居住スペース１Ｂ及び第３組立式居住スペース１Ｃと、を備える。第１組立式居住スペース１Ａ、第２組立式居住スペース１Ｂ及び第３組立式居住スペース１Ｃは、それぞれ第１実施形態で説明した組立式居住スペース１である。第１組立式居住スペース１Ａは、第１筒状部材１１Ａと第１蓋部材１２Ａと第１床部材１３Ａと台座部１４Ａとを備えている。第２組立式居住スペース１Ｂは、第２筒状部材１１Ｂと第２蓋部材１２Ｂと第２床部材１３Ｂと台座部１４Ｂとを備え、第３組立式居住スペース１Ｃは、第３筒状部材１１Ｃと第３蓋部材１２Ｃと第３床部材１３Ｃとを備える。第１筒状部材１１Ａ、第２筒状部材１１Ｂ及び第３筒状部材１１Ｃは、互いに形状及び大きさが同じである。
【００４１】  第１筒状部材１１Ａ、第２筒状部材１１Ｂ及び第３筒状部材１１Ｃが互いに一つの平坦面で隙間なく接することにより、第１組立式居住スペース１Ａ、第２組立式居住スペース１Ｂ及び第３組立式居住スペース１Ｃは、ハニカム上に配置されている。また、組立式居住スペース集合体２の断面の形状は、図６Ｂに示すように、３つの正六角形がハニカム状に配置された形状となっている。よって、３つの正六角形は、１つの辺１１５が互いに接する様に配置されている。なお、図６Ｂは、組立居住スペース集合体２の断面の形状を説明するために簡略化された図であるため、３つの正六角形のみが図示されている。
【００４２】  ここで、「ハニカム状に配置される」とは、３つ以上の立体や３つ以上の平面図形が、互いに隙間なく配置されることを意味する。例えば、図６Ａの組立居住スペース集合体２においては、第１筒状部材１１Ａ、第２筒状部材１１Ｂ及び第３筒状部材１１Ｃが互いに１つの平坦面で接しているため、第１組立居住スペース１Ａと第２組立居住スペース１Ｂとの間や第２組立居住スペース１Ｂと第３組立居住スペース１Ｃとの間に、隙間は存在しない。そのため、第１組立居住スペース１Ａ、第２組立居住スペース１Ｂ及び第３組立居住スペース１Ｃは、ハニカム状に配置されているといえる。また、図６Ｂにおいて、隣り合う正六角形の間に隙間は存在しない。そのため、３つの正六角形は、ハニカム状に配置されているといえる。
【００４３】  第１筒状部材１１Ａ、第２筒状部材１１Ｂ及び第３筒状部材１１Ｃは、互いに平坦面１１１が隙間なく接した状態で固定されている。
例えば、第１筒状部材１１Ａと第２筒状部材１１Ｂとは、以下のように固定される。すなわち、第１筒状部材１１Ａの平坦面及び第２筒状部材１１Ｂの平坦面にそれぞれ１つ又は複数のコの字状（又は円弧状）の切れ込みを入れることによって１つ又は複数のフラップを形成する。そして、第１筒状部材１１Ａの平坦面のフラップを第２筒状部材１１Ｂの平坦面の切れ込みに差し込み、第２筒状部材１１Ｂの平坦面のフラップを第１筒状部材１１Ａの平坦面の切れ込みに差し込む。このように、互いの平坦面のフラップを互いの平坦面の切れ込みに差し込むことによって、第１筒状部材１１Ａと第２筒状部材１１Ｂとは固定される。
【００４４】  また、一方の平坦面にコの字状の切れ込みを入れることによってフラップを形成し、他方の平坦面に直線状のスリットを形成し、フラップを直線状のスリットに差し込むことによって、第１筒状部材１１Ａと第２筒状部材１１Ｂとが固定されてもよい。さらに、フラップは、スリットに差し込まれた後、折り曲げられてもよい。他方の平坦面に直線状のスリットを複数形成し、複数のスリットにフラップを入れることにより、フラップを織り込むようにしてもよい。また、フラップは、スリットに差し込まれた後、クリップなどの固定部材によって固定されてもよい。第１筒状部材１１Ａと第３筒状部材１１Ｃとの固定及び第２筒状部材１１Ｂと第３筒状部材１１Ｃとの固定も同様にして行われる。
【００４５】  また、第１筒状部材１１Ａ、第２筒状部材１１Ｂ及び第３筒状部材１１Ｃを互いに固定するためには、例えば、互いに接する平坦面同士をクリップ、接着剤、ボルト及びナット等の固定部材で固定しても良い。
【００４６】  組立式居住スペース集合体２は、３つの部屋を備えた２階建ての組立式居住スペースとして機能する。第１組立式居住スペース１Ａ及び第２組立式居住スペース１Ｂが１階部分として機能し、第３組立式居住スペース１Ｃが２階部分として機能する。
【００４７】  この組立式居住スペース集合体２によれば、すべて第１実施形態で説明した組立式居住スペース１で構成されているため、組立及び解体が簡易に行う事ができる。第１組立式居住スペース１Ａ、第２立式居住スペース１Ｂ及び第３立式居住スペース１Ｃは、一人の人が持ち上げ可能な程度に軽量であるため、２階部分に載せる事も容易である。２階建ての組立式居住スペースにすることにより、１部屋辺りの専有面積を抑制する事ができる。また図６Ａ及び図６Ｂから分かるように、第１組立式居住スペース１Ａと第２組立式居住スペース１Ｂの真上に組立式居住スペース１Ｃが存在しない。そのため、第１組立式居住スペース１Ａ、第２組立式居住スペース１Ｂ内で生活する人は真上に人が居ないため安心感を得られる。同様に、第３組立式居住スペース１Ｃ内で生活する人は真下に人が居ないため安心感が得られる。
【００４８】  組立式居住スペース集合体２は、断面が正六角形の筒状部材１１がハニカム状に配置された構成であるため、縦、横、斜め方向等の様々な方向からの力や荷重をほぼ均等に分散させることができる。そのため、組立式居住スペース集合体２は、組立及び解体が簡易な構成であるとともに、強度も確保できる構造となっていいる。
【００４９】  以上、本考案の実施形態について説明したが、本考案は、上記実施形態に限定されることなく、実用新案登録請求の範囲に記載された技術的範囲において変形が可能である。例えば、上記実施形態では、筒状部材１１の断面は正六角形であったが、この形状に限定されない。複数の組立式居住スペースがハニカム状に配置されえる形状であり、様々な方向からの力や荷重をほぼ均等に分散できる形状であればよい。
【００５０】  上記実施形態では、組立式居住スペース集合体２は、３つの組立式居住スペースのみで構成されていたが、これに限定されない。例えば４つ以上の組立式居住スペースで構成されても良い。また、図６Ｃに示すように図６Ａの組立式居住スペース集合体２を複数組み合わせて、隣り合う組立カプセルルーム間に空間が存在し、一部の組立式居住スペースがハニカム状に配置されていない状態であってもよい。また３階建ての組立式居住スペースであってもよい。いずれも第１組立式居住スペース１Ａ、第２組立式居住スペース１Ｂ及び第３組立式居住スペース１Ｃがハニカム状に配置された構成を含んでいる。このように第１組立式居住スペース１Ａ、第２組立式居住スペース１Ｂ及び第３組立式居住スペース１Ｃがハニカム状に配置される構成を含むものであればよい。
【００５１】  上記実施形態では、筒状部材１１が１枚のシートにより構成されていたが複数のシートの折り返し部同士を固定して形成されてもよい。その場合、最低１つの折り返し部１１４が筒状部材１１内側の載置面（不図示）側に配置され載置面（不図示）と直交する状態となるように形成されればよい。また、折り返し部１１４の固定には、接着剤やクリップが使用されていたがこれに限定されない。例えば、ボルト及びナット、ステイプラの針等を使用して固定されても良い。すなわち折り返し部１１４の固定は、接着剤、ボルト及びナット、ステイプラの針、クリップ等の固定部材によって固定がなされていればよい。
【００５２】  上記実施形態では、蓋部材１２が段ボールなどのシート状部材を積層し、接着剤などで固定したものが使用されていたが、これに限定されない。例えば、筒状部材１１の形状が維持されるようなシート状部材で形成された構成であればよい。また、異なるシート状部材で形成された蓋部材を複数種類組み合わせて蓋部材１２となるよう形成してもよい。また、通気孔１２３について、開閉可能な構成としてコの字状に切り取られたフラップを用いた物を記載したが、通気孔１２３が開閉可能な構成であればよい。例えば嵌め込み式の蓋部材やカバー部材（不図示）の取り外し、開閉を利用するなど、通気孔１２３を開閉できる構成となっていれば通気孔の形状、大きさなどが異なってもよい。
【００５３】  上記実施形態では、床下部材１３の保持部材１３１は１種類のみで骨組みを構成していたが複数種類の保持部材１３１を組み合せて、筒状部材１１の折り返し部１１４に嵌め込んで骨組みとしてもよい。また、保持部材１３１の接地辺１３４も筒状部材１１の載置面（不図示）側の平坦面１１１に整合した形状となっているがこれに限定されない。例えば、接地辺１３４が凹凸を持った形状で構成されても良い。保持部材１３１は床部材１３２を安定かつ平行に筒状部材１１内で保持できる構成となっていればよい。
【００５４】  上記実施形態では、シート状部材として段ボールシートが使用されていたが、これに限定されない。シート状部材は、折り曲げ可能で、組立式居住スペースに使用可能な強度を有する素材であればよい。例えば樹脂製（プラスチック製）の板やプラスチックダンボールが使用されても良い。また、シート状部材の表面に印刷やステッカーが施されたものを使用しても良い。上記実施形態で筒状部材１１、蓋部材１２、床下部材１３は、共に段ボールシートが用いられていたが、互いに異なる素材が用いられても良いし、異なる素材を組み合わせて使用されても良い。
【００５５】  上記実施形態では、平坦な載置面（不図示）に組立式居住スペース１を載置する際、台座部１４が使用されていたが、必ずしも使用されなくても良い。例えば筒状部材１１の形状に一致する窪みを載置面に形成し、その窪みに筒状部材１１の一部を入れる事によって、組立式居住スペース１を載置するようにしてもよい。
【符号の説明】
【００５６】  １      組立式居住スペース
２      組立式居住スペース集合体
１Ａ    第１組立式居住スペース
１Ｂ    第２組立式居住スペース
１Ｃ    第３組立式居住スペース
１１    筒状部材
１１Ａ  第１筒状部材
１１Ｂ  第２筒状部材
１１Ｃ  第３筒状部材
１１１  平坦部
１１２  前方開口部（開口部）
１１３  後方開口部（開口部）
１２    蓋部材
１２１Ａ  前方蓋部材
１２１Ｂ  後方蓋部材
１２３  通気孔
１３    床下部材
１３１  保持部材
１３２  床部材
１４    台座部
【図１】
0003205564.tif 000003
【図２】
0003205564.tif 000004
【図３】
0003205564.tif 000005
【図４】
0003205564.tif 000006
【図５】
0003205564.tif 000007
【図６】
0003205564.tif 000008
【図６】
0003205564.tif 000009
【手続補正書】
【提出日】平成28年5月19日(2016.5.19)
【手続補正１】
【補正対象書類名】図面
【補正対象項目名】全図
【補正方法】変更
【補正の内容】
【図１】
0003205564.tif 000010
【図２】
0003205564.tif 000011
【図３】
0003205564.tif 000012
【図４】
0003205564.tif 000013
【図５】
0003205564.tif 000014
【図６】
0003205564.tif 000015